(57)【要約】【課題】挿入部の先端を腸管のヒダに引っ掛け手元側に引き寄せて腸管を直線化する際にヒダとの係合が外れ難く、挿入部を大腸内に容易かつ円滑に挿入することができる大腸挿入用内視鏡の先端部を提供すること。【解決手段】挿入部１の先端を構成する先端部本体５の先端面５ａに被写体の光像を取り込むための観察窓６が配置された大腸挿入用内視鏡の先端部において、先端部本体５の外周を全周にわたって軸線周り方向に囲む挿入補助バンド１０が先端部本体５に対して着脱自在に設けられ、挿入補助バンド１０の外周部から側方に広がる鍔状部１１が挿入補助バンド１０に一体に突出形成されている。【選択図】      図１
2006192088.tif 000002
【特許請求の範囲】
【請求項１】
挿入部の先端を構成する先端部本体の先端面に被写体の光像を取り込むための観察窓が配置された大腸挿入用内視鏡の先端部において、
上記先端部本体の外周を全周にわたって軸線周り方向に囲む挿入補助バンドが上記先端部本体に対して着脱自在に設けられ、上記挿入補助バンドの外周部から側方に広がる鍔状部が上記挿入補助バンドに一体に突出形成されていることを特徴とする大腸挿入用内視鏡の先端部。
【請求項２】
上記挿入補助バンドが上記先端部本体の先端面より前方に突出しない状態に上記先端部本体に取り付けられる請求項１記載の大腸挿入用内視鏡の先端部。
【請求項３】
上記挿入補助バンドが弾力性のある材料により形成されていて、上記先端部本体に対して弾力的に締め付ける状態に取り付けられる請求項１又は２記載の大腸挿入用内視鏡の先端部。
【請求項４】
上記鍔状部が上記挿入補助バンドの全幅に形成されている請求項１、２又は３記載の大腸挿入用内視鏡の先端部。
【請求項５】
上記鍔状部が先側へ漸次外径が小さくなるテーパ状に形成されている請求項１、２、３又は４記載の大腸挿入用内視鏡の先端部。
【請求項６】
上記鍔状部が上記挿入補助バンドの軸線方向に間隔をあけて複数形成されている請求項１、２、３、４又は５記載の大腸挿入用内視鏡の先端部。
【請求項７】
上記複数の鍔状部のうち後方に位置する鍔状部の外径が後方側へ次第に小さく形成されている請求項６記載の大腸挿入用内視鏡の先端部。
【請求項８】
上記複数の鍔状部のうち前方に位置する鍔状部の外径が後方に位置する鍔状部の外径より小さく形成されている請求項６又は７記載の大腸挿入用内視鏡の先端部。
【請求項９】
上記鍔状部に、周方向に間隔をあけて複数の凹部が形成されている請求項１ないし８のいずれかの項に記載の大腸挿入用内視鏡の先端部。
【発明の詳細な説明】
【技術分野】
【０００１】
この発明は大腸挿入用内視鏡の先端部に関する。
【背景技術】
【０００２】
大腸挿入用内視鏡は被検者の肛門から大腸内に挿入されるが、大腸を肛門側から辿ると、短い直腸を通過してＳ字結腸において小さな曲率半径で文字通りＳ字状にカーブして下向結腸に至り、さらに下向結腸から横行結腸に移行する部分でも９０°以上に屈曲している場合がほとんどである。
【０００３】
しかも、直腸以外の部分は体壁に固定されておらず、Ｓ字結腸等は外力で自由に伸縮したり形状が変わったりする場合が多いので、大腸内に無闇に内視鏡を押し込んでも腸管が奥へ伸ばされてしまうだけで内視鏡を大腸の深部へ挿入するのは困難である。
【０００４】
そこで、内視鏡の挿入部をある程度まで腸管内に挿入したら、挿入部先端に形成されている湾曲部を遠隔操作により小さな曲率半径で屈曲させ、挿入部先端を腸管のヒダに引っ掛けて手元側に引き寄せることにより腸管をアコーディオンのように縮ませて直線状態にし、それを適宜繰り返すことで深部へ挿入するのが有力な挿入テクニックの一つである。
【０００５】
そのようにして大腸内に挿入される大腸挿入用内視鏡の先端部は一般に、挿入部の前方の被写体の光像を取り込むための観察窓が挿入部の先端面に配置されている。そして、その挿入部の先端面の外縁から前方に突出する先端フードが設けられたものが多かったが（例えば、特許文献１）、近年は先端フードを設けないものが多くなっている（例えば、特許文献２）。
【特許文献１】特開平１０−２４８７９２
【特許文献２】特開２００２−１２５９１５
【発明の開示】
【発明が解決しようとする課題】
【０００６】
従来の大腸挿入用内視鏡で上述のような挿入手技を行う際には、挿入部先端を腸管のヒダに引っ掛けて手元側に引き寄せると挿入部先端とヒダとの係合が滑って外れ、挿入操作を最初からやり直さなければならなくなって挿入に非常に時間がかかる場合が少なくない。
【０００７】
そこで本発明は、挿入部の先端を腸管のヒダに引っ掛け手元側に引き寄せて腸管を直線化する際にヒダとの係合が外れ難く、挿入部を大腸内に容易かつ円滑に挿入することができる大腸挿入用内視鏡の先端部を提供することを目的とする。
【課題を解決するための手段】
【０００８】
上記の目的を達成するため、本発明の大腸挿入用内視鏡の先端部は、挿入部の先端を構成する先端部本体の先端面に被写体の光像を取り込むための観察窓が配置された大腸挿入用内視鏡の先端部において、先端部本体の外周を全周にわたって軸線周り方向に囲む挿入補助バンドが先端部本体に対して着脱自在に設けられ、挿入補助バンドの外周部から側方に広がる鍔状部が挿入補助バンドに一体に突出形成されているものである。
【０００９】
なお、挿入補助バンドが先端部本体の先端面より前方に突出しない状態に先端部本体に取り付けられていてもよく、挿入補助バンドが弾力性のある材料により形成されていて、先端部本体に対して弾力的に締め付ける状態に取り付けられていてもよい。また、鍔状部が挿入補助バンドの全幅に形成されていてもよく、鍔状部が先側へ漸次外径が小さくなるテーパ状に形成されていてもよい。
【００１０】
また、鍔状部が挿入補助バンドの軸線方向に間隔をあけて複数形成されていてもよく、その場合、複数の鍔状部のうち後方に位置する鍔状部の外径が後方側へ次第に小さく形成されていてもよく、複数の鍔状部のうち前方に位置する鍔状部の外径が後方に位置する鍔状部の外径より小さく形成されていてもよい。
【００１１】
また、鍔状部に、周方向に間隔をあけて複数の凹部が形成されていてもよい。
【発明の効果】
【００１２】
本発明の大腸挿入用内視鏡の先端部によれば、外周部から側方に広がる鍔状部が先端部本体に着脱自在な挿入補助バンドに一体に突出形成されていることにより、挿入部の先端を腸管のヒダに引っ掛け手元側に引き寄せて腸管を直線化する際に鍔状部がヒダによく引っ掛かってヒダとの係合が外れ難く、挿入部を大腸内に容易かつ円滑に挿入することができる。
【発明を実施するための最良の形態】
【００１３】
挿入部の先端を構成する先端部本体の先端面に被写体の光像を取り込むための観察窓が配置された大腸挿入用内視鏡の先端部において、先端部本体の外周を全周にわたって軸線周り方向に囲む挿入補助バンドが先端部本体に対して着脱自在に設けられ、挿入補助バンドの外周部から側方に広がる鍔状部が挿入補助バンドに一体に突出形成されている。
【実施例】
【００１４】
図面を参照して本発明の実施例を説明する。
図３は大腸挿入用内視鏡の外観図であり、可撓性の挿入部１の先端付近に形成された湾曲部２は、挿入部１の基端に連結された操作部３において操作ノブ４を操作することにより、二点鎖線で示されるように、任意の方向に任意の角度だけ屈曲させることができる。
【００１５】
湾曲部２の先端に連結された硬質の短円柱状の先端部本体５には、対物光学系や固体撮像素子等各種の機能要素が内蔵されており、先端部本体５によって挿入部１の最先端部分が構成されている。
【００１６】
そして先端部本体５には、その外周を全周にわたって軸線周り方向に囲む挿入補助バンド１０が着脱自在に設けられ、挿入補助バンド１０の外周部から側方に広がる鍔状部１１が挿入補助バンド１０に一体に突出形成されている。
【００１７】
図１は挿入部１の最先端部付近を示しており、被写体の光像を取り込むための観察窓６や図示されていない照明窓等が先端部本体５の先端面５ａに配置されていて、挿入部１の前方を内視鏡観察することができる。
【００１８】
挿入補助バンド１０は、単体の斜視図である図２にも示されるように、ゴム材又は弾力性のあるプラスチック材等によって、内径寸法が先端部本体５の外径寸法より小さな円環状に形成されており、径を広げる方向に弾性変形させることで先端部本体５の外周部に着脱自在である。
【００１９】
挿入補助バンド１０には、その外周部から全周にわたって側方に広がる鍔状部１１が一体に突出形成されており、この実施例の鍔状部１１は、図１にその断面形状が示されるように、挿入補助バンド１０から滑らかなアール曲線を描いて凸状に例えば１〜３ｍｍ程度突出している。
【００２０】
そして、そのような鍔状部１１が形成された挿入補助バンド１０が、先端部本体５を弾力的に締め付けて、先端部本体５の先端面５ａより前方に突出しない状態に先端部本体５に取り付けられる。
【００２１】
図４は、上述のように構成された実施例の大腸挿入用内視鏡を大腸内に挿入している状態を示しており、例えば腸管のカーブ部分において、鍔状部１１が腸管内壁部のヒダ１００を通過した位置で湾曲部２を屈曲させ、鍔状部１１をヒダ１００の裏面部分に係合させる。
【００２２】
そして、図５に示されるように挿入部１を手元側に引き寄せる操作を行えば、鍔状部１１に係合するヒダ１００が肛門側に引き寄せられることにより腸管が縮んで真っ直ぐな状態になるので、引き続き適宜の回転操作等も行ってから挿入部１を押し込み操作することで、大腸深部への挿入を容易に行うことができる。
【００２３】
このような動作に際して、本発明においては、挿入補助バンド１０に突設された鍔状部１１がヒダ１００によく引っ掛かって、挿入部１を手元側に引き寄せる操作をしたときにヒダ１００との係合が簡単には外れないので、腸管を迅速に真っ直ぐな状態に縮めることができる。
【００２４】
図６は本発明の第２の実施例の大腸挿入用内視鏡の先端部を示しており、鍔状部１１が挿入補助バンド１０の全幅に形成されて、見かけ上挿入補助バンド１０全体が鍔状部１１になっているものであり、この例ではその断面形状が全体として円形になっている。このように構成しても第１の実施例と同様の効果を得ることができる。
【００２５】
図７は本発明の第３の実施例の大腸挿入用内視鏡の先端部を示しており、鍔状部１１の外周部が先側へ漸次外径が小さくなるテーパ状に形成されて、腸管内への挿入がスムーズに行えるようになっている。鍔状部１１の後端壁は挿入補助バンド１０の表面から段差を形成する状態に突出して、腸管のヒダ１００に引っ掛かり易い構成になっている。
【００２６】
図８は本発明の第４の実施例の大腸挿入用内視鏡の先端部を示しており、第３の実施例と同形状の鍔状部１１を挿入補助バンド１０の全幅に形成したものであり、このように構成しても第３の実施例と同様の効果を得ることができる。
【００２７】
図９は本発明の第５の実施例の大腸挿入用内視鏡の先端部を示しており、挿入補助バンド１０の軸線方向に間隔をあけて複数の鍔状部１１を並列に形成したものである。このように構成することによりヒダ１００に対する引っ掛かり能がより向上し、鍔状部１１の突出高を例えば０．５〜２ｍｍ程度に低くすることができる。
【００２８】
図１０は本発明の第６の実施例の大腸挿入用内視鏡の先端部を示しており、第５の実施例と同様に挿入補助バンド１０の軸線方向に間隔をあけて複数の鍔状部１１Ａ，１１Ｂが並列に形成されている。
【００２９】
ただしこの実施例では、前方に位置する鍔状部１１Ａは先側へ漸次外径が小さくなるテーパ状に形成され、後方に位置する鍔状部１１Ｂは後側へ漸次外径が小さくなるテーパ状に形成されている。
【００３０】
このように構成することにより、腸管内への挿脱動作をゆっくり行えば鍔状部１１Ａ，１１Ｂがヒダ１００に引っ掛かるが、挿脱動作を速く行えば鍔状部１１Ａ，１１Ｂがヒダ１００に引っ掛からずに容易に挿脱することができる。
【００３１】
またこの実施例では、前方に位置する鍔状部１１Ａの外径を後方に位置する鍔状部１１Ｂの外径より小さく形成することにより（即ち、Ｄａ＜Ｄｂ）、腸管内からの抜去時におけるヒダ１００に対する鍔状部１１Ａ，１１Ｂの引っ掛かりを減少させている。
【００３２】
図１１は本発明の第７の実施例の挿入補助バンド１０の軸線に垂直な断面図であり、鍔状部１１の外周部に周方向に間隔をあけて複数の凹部１２が形成されている。これは、第１〜第６の各実施例に対して適用することができる。なお、凹部１２の数は実用上３〜１２個程度の範囲にあるのが望ましい。
【００３３】
このように構成することにより、鍔状部１１をヒダ１００に引っ掛けて軸線周りに捩じる操作で腸管を回動させ、腸管内への挿入をより容易に行える場合がある。
【図面の簡単な説明】
【００３４】
【図１】本発明の第１の実施例の大腸挿入用内視鏡の先端部の側面部分断面図である。
【図２】本発明の第１の実施例の挿入補助バンドの単体斜視図である。
【図３】本発明の第１の実施例の大腸挿入用内視鏡の全体構成を示す外観図である。
【図４】本発明の第１の実施例の大腸挿入用内視鏡の使用状態の略示図である。
【図５】本発明の第１の実施例の大腸挿入用内視鏡の使用状態の略示図である。
【図６】本発明の第２の実施例の大腸挿入用内視鏡の先端部の側面部分断面図である。
【図７】本発明の第３の実施例の大腸挿入用内視鏡の先端部の側面部分断面図である。
【図８】本発明の第４の実施例の大腸挿入用内視鏡の先端部の側面部分断面図である。
【図９】本発明の第５の実施例の大腸挿入用内視鏡の先端部の側面部分断面図である。
【図１０】本発明の第６の実施例の大腸挿入用内視鏡の先端部の側面部分断面図である。
【図１１】本発明の第７の実施例の挿入補助バンドの軸線に垂直な断面図である。
【符号の説明】
【００３５】
１  挿入部
５  先端部本体
５ａ  先端面
６  観察窓
１０  挿入補助バンド
１１  鍔状部
１２  凹部
１００  ヒダ
【図１】
2006192088.tif 000003
【図２】
2006192088.tif 000004
【図３】
2006192088.tif 000005
【図４】
2006192088.tif 000006
【図５】
2006192088.tif 000007
【図６】
2006192088.tif 000008
【図７】
2006192088.tif 000009
【図８】
2006192088.tif 000010
【図９】
2006192088.tif 000011
【図１０】
2006192088.tif 000012
【図１１】
2006192088.tif 000013